(57)【要約】【課題】デジタルカメラの盗難やいたずらを防止する。【解決手段】デジタルカメラのＣＰＵ内にはセキュリティ部４１ａが備えられている。デジタルカメラの電源が入れられると制御部６１によって撮影部６５への制御信号の送り出しを禁止して撮影機能を不能にする。判定部６０ではスマートメディア３３に記録されているパスワードを読み出し、フラッシュメモリ５６内に予め記憶されているパスワードと比較、判定を行う。フラッシュメモリ５６内のパスワードとスマートメディア３３内のパスワードとが一致したときに制御部６１によって不能にされた撮影機能を回復させる。【選択図】        図５
2004153430.tif 000002
【特許請求の範囲】
【請求項１】
撮影機能を備え、この撮影機能によって得られた画像データを記録できる第一の記録媒体を挿入する第一のスロットと、前記第一の記録媒体よりも大容量の第二の記録媒体を挿入する第二のスロットとを備えたデジタルカメラにおいて、
前記撮影機能を不能とする撮影不能化手段と、前記第一のスロットにパスワードを記録させた第一の記録媒体を挿入し、この第一の記録媒体に記憶されているパスワードと前記カメラの内蔵メモリに予め記憶されているパスワードとを読み出し、それぞれのパスワードが一致するか否かを判定する判定手段と、この判定手段によって一致が判定されたときに前記不能となった撮影機能を回復させる回復手段とを備えたことを特徴とするデジタルカメラ。
【請求項２】
前記第一の記録手段からパスワードが読み出せないときには、前記カメラの操作部からパスワードを取得し、この取得したパスワードと前記内蔵メモリのパスワードが判定手段によって一致が判定されたときに前記不能となった撮影機能を回復させることを特徴とした請求項１記載のデジタルカメラ。
【発明の詳細な説明】
【０００１】
【発明の属する技術分野】
本発明は、盗難やいたずらを防止するセキュリティ機能を備えたデジタルカメラに関するものである。
【０００２】
【従来の技術】
ＣＣＤイメージセンサによって、撮影された画像を画像データにデジタル変換して、スマートメディアなどの記録媒体に記録させるデジタルカメラが普及している。また、近年の撮像素子の画素密度の飛躍的な向上と高機能化に伴って、高画質の画像が撮影できる反面、画像データも増加している。
【０００３】
それゆえ、高価なデジタルカメラには、通常装備されているスマートメディアなどの記録媒体と共に、より大容量の記録媒体であるマイクロドライブやコンパクトフラッシュ（Ｒ）などの記録媒体も装備できるダブルスロットを備えたものもある。従って、ユーザーは目的に応じた記録媒体の選択ができ、より多くの画像をこれらの記録媒体に記録することができる。
【０００４】
しかし、上記デジタルカメラには第三者による使用を防止するためのセキュリティ機能は付いていない。従来の暗証番号やパスワードを使用した機器のセキュリティ機能に関する技術としては、電子カメラによって取得した画像を携帯電話などの通信回線を介して相手先の機器に通信する際に、電子カメラの通信モード時に暗証番号を入力することで、第三者の不正な使用を防いでいる。（例えば、特許文献１参照）また、音楽や映画などのデジタル情報をインターネットや公衆電話回線などの通信ネットワークを使用してユーザーに供給する際には、登録しているユーザーであるかどうかの確認として、パスワードや暗号用の鍵を含むＩＤ情報を入力することで、登録者であることを確認してデジタル情報を供給している。（例えば、特許文献２参照）
【０００５】
【特許文献１】
特開２００１−２３８１２４号公報
【特許文献２】
特開２００１−３２５５３９号公報
【０００６】
【発明が解決しようとする課題】
しかしながら、上記したように通信端末や通信ネットワークを使用する機器においては、データ等を通信する際には暗証番号やパスワードによるセキュリティ機能を備えているが、カメラを使用するときは何のセキュリティ機能も備えていないため、盗難や転売などの被害に合う恐れがある。また、デジタルカメラは撮影した画像を簡単に確認できる反面、第三者に私的な画像も簡単に見られてしまうという問題もある。
【０００７】
本発明は、上記問題点を解決するためになされたものであり、カメラ本体及び着脱自在の記録媒体にセキュリティ機能を持たせることで盗難やいたずらなどを防止できるデジタルカメラを提供することを目的とする。
【０００８】
【課題を解決するための手段】
撮影機能を備え、この撮影機能によって得られた画像データを記録できる第一の記録媒体を挿入する第一のスロットと、第一の記録媒体よりも大容量の第二の記録媒体を挿入する第二のスロットとを備えたデジタルカメラにおいて、撮影機能を不能とする撮影不能化手段と、第一のスロットにパスワードを記録させた第一の記録媒体を挿入し、この第一の記録媒体に記憶されているパスワードとカメラの内蔵メモリに予め記憶されているパスワードとを読み出し、それぞれのパスワードが一致するか否かを判定する判定手段と、この判定手段によって一致が判定されたときに不能となった撮影機能を回復させる回復手段とを備えたものである。
【０００９】
第一の記録手段からパスワードが読み出せないときには、カメラの操作部からパスワードを取得し、この取得したパスワードと内蔵メモリのパスワードが判定手段によって一致が判定されたときに不能となった撮影機能を回復させるようにしたものである。
【００１０】
【発明の実施の形態】
図１は本発明を用いたデジタルカメラの外観斜視図である。デジタルカメラ２の本体３の前面側中央部には、撮影レンズ５が突出して着脱自在に取り付けてある。この撮影レンズ５は、撮影状況に合わせて望遠レンズや広角レンズなどに交換できる構造となっている。さらに、撮影レンズ５の後方のカメラ本体３内部には撮像手段であるＣＣＤイメージサンサが備えられている。また、カメラ本体３の一方の前面側方部にグリップ部６が設けられており、このグリップ部６の上方にはシャッターボタン７と露出補正ボタン８が備えてある。
【００１１】
カメラ本体３上面には、上面表示パネル１０、ポップアップ式のストロボ装置１１、露出モードダイアル１２が備えられている。上面表示パネル１０には撮影時のシャッター速度、絞り、露出補正などが表示される。露出モードダイアル１２には、オート、ポートレイト、風景、夜景などのモードが備えられ、ダイアル操作によって撮影状況に応じた露出モードの選択ができる。ポップアップ式のストロボ装置１１は、夜間撮影や室内撮影時にカメラ本体３からストロボ装置１１をポップアップさせ、ストロボ発光部を被写体側に露呈させてストロボ発光を行う。（図示せず）撮影終了後は、ストロボ装置１１を元の位置に収納させる。
【００１２】
図２に示すように、カメラ本体３の背面側にはファインダー接眼部２０、コマンドダイヤル２１、背面表示パネル２２、操作ボタン２３、十字ボタン２４、カラー液晶モニター（ＬＣＤ）２８、スロットカバー２９などから構成されている。コマンドダイヤル２１の操作によって撮影モード、再生モードなどの各種モード選択が行える。背面表示パネル２２には、このコマンドダイヤル２１の操作によって選択されたモードなどが表示される。ＬＣＤ２８は、ＣＣＤイメージセンサによって撮像された被写体像が連続的に表示される。
【００１３】
図３にも示すように、スロットカバー２９の後方にはＣＣＤイメージセンサによって撮像された画像のデジタルデータを記録させる記録媒体のスロット３０，３１が備えてあり、この記録媒体のスロット３０，３１の奥には、記録媒体へのデータの読み書きを行なうカードリーダが内蔵されている。例えば、上段側には、小型軽量で低価格なスマートメディア３３が挿入され、下段側にはスマートメディア３３よりも大容量のデータを記録できるマイクロドライブ３４やコンパクトフラッシュ（Ｒ）が挿入される。
【００１４】
図４に本発明を備えたデジタルカメラ２の構成を示す。詳しくは図示しないが、レンズ鏡筒には、焦点調整を行なうフォーカス用モータと、ズーミングを行なうズーム用モータとが組み込まれている。これらのモータは、デジタルカメラ２全体を制御するＣＰＵ４１に接続されたモータドライバ３８によって駆動制御される。
【００１５】
レンズ鏡筒の背後には、撮影レンズ５を透過した被写体光が撮像されるＣＣＤイメージセンサ４０が配置されている。このＣＣＤイメージセンサ４０には、ＣＰＵ４１によって制御されるタイミングジェネレータ３９からタイミング信号（クロック信号）が入力される。ＣＣＤイメージセンサ４０から出力された信号は、相関二重サンプリング回路（ＣＤＳ）４２に入力され、ＣＣＤイメージセンサ４０の各セルの蓄積電荷量に正確に対応したＲ、Ｇ、Ｂの画像データとして出力される。ＣＤＳ４２から出力された画像データは、増幅器（ＡＭＰ）４３で増幅され、Ａ／Ｄ変換器４４でデジタルデータに変換される。
【００１６】
画像入力コントローラ４５は、データバス４６を介してＣＰＵ４１に接続されており、ＣＰＵ４１の命令によってＣＣＤイメージセンサ４０，ＣＤＳ４２，ＡＭＰ４３，Ａ／Ｄ変換器４４を制御する。また、Ａ／Ｄ変換器４４から出力された画像データをビデオメモリ５４、あるいはバッファメモリ５５に書き込む。
【００１７】
ビデオメモリ５４は、ＬＣＤ２８をビューファインダとして使用する際に、解像度の低い画像データが一時的に記録される。ビデオメモリ５４に記録された画像データは、データバス４６を介してＬＣＤドライバ５０に送られ、ＬＣＤ２８に表示される。バッファメモリ５５は、撮像された高解像度の画像データが一時的に記録される。このバッファメモリ５５から読み出された画像データは、メディアコントローラ３５によって駆動制御されるカードリーダによりスマートメディア３３またはマイクロドライブ３４に記録される。この時、スマートメディア３３またはマイクロドライブ３４のどちらに記録するかはユーザーによって選択できる。再生モードでは、スマートメディア３３またはマイクロドライブ３４に記録された画像データはＣＰＵ４１によって、メディアコントローラ３５、ＬＣＤドライバ５０を介して、ＬＣＤ２８に表示される。
【００１８】
カメラ本体３の上面と背面にある上面表示パネル１０と背面表示パネル２２には、撮影モードやシャッター速度、絞り、露出補正などの撮影データがＣＰＵ４１からデータバス４６を介して表示回路５２に送られ、上面表示パネル１０及び背面表示パネル２２にそれぞれ表示される。
【００１９】
フラッシュメモリ５６には、カメラの各部を制御する制御プログラムや設定データが格納されている他、盗難やいたずらを防止するためのセキュリティ機能によって不能にされた撮影機能を回復させるためのパスワードが予め記憶されている。
【００２０】
ＣＰＵ４１内にはセキュリティ部４１ａが設けられている。このセキュリティ部４１ａは、デジタルカメラ２の盗難やいたずらを防止するために撮影機能を不能にし、入力されたパスワードが予め設定されているパスワードと一致した時に不能にした撮影機能を回復させる。図５に示すように、セキュリティ部４１ａは、判定部６０、制御部６１、書込み部６２から構成されている。
【００２１】
書込み部６２は、不能にした撮影機能を回復させるためのパスワードを判定部６０へ書き込む。また、スマートメディア３３がスロット３５に挿入されている場合には、ユーザーの操作ボタン２３の操作に応答してスマートメディア３３へパスワードが書き込まれる。判定部６０は、書込み部６２によって判定部６０へ書き込まれたパスワードまたは、スマートメディア３３に記憶されたパスワードと、フラッシュメモリ５６内に記憶されているパスワードとが一致しているかどうかの比較、判定を行う。制御部６１は、ＣＰＵ４１からモータドライバ３８やタイミングジェネレータ３９、画像入力コントローラ４５などへの制御信号の送り出しを禁止させ撮影機能を不能とさせる。そして、判定部６０によってパスワードが一致したと判定されると、この禁止した制御信号の送り出しを許容させ、不能にしていた撮影機能を回復させる。また、判定部６０によってパスワードが一致しないと判定されるとＬＣＤドライバ５０に信号を送り、ＬＣＤ２８にパスワードの入力を促す画像を表示させる。
【００２２】
以下、上記構成による作用について図５及び図６を用いて説明する。デジタルカメラ２の電源が入れられると、制御部６１はＣＰＵ４１から送られる撮影部６５（モータドライバ３８、タイミングジェネレータ３９、画像入力コントローラ４５など）への制御信号の送り出しをすべて禁止し、撮影機能を不能とする。そして、判定部６０はスロット３０にスマートメディア３３が挿入されているかどうかを確認する。挿入されている場合には、スマートメディア３３にパスワードが記録されているかどうかの確認が行われる。パスワードが記録されている場合には判定部６０へ読み出されて、フラッシュメモリ５６に記憶されているパスワードとの比較、判定が行われる。パスワードが一致していると判定されると、制御部６１は撮影部６５への制御信号の送り出しを許容して、不能にしていた撮影機能を回復させる。
【００２３】
また、判定部６０によってスロット３０にスマートメディア３３が挿入されていないことが判定された場合、もしくは、スマートメディア３３のパスワードがフラッシュメモリ５６のパスワードと異なるか、パスワードの入力が行われておらず、フラッシュメモリ５６のパスワードと一致しないと判定された場合には、制御部６１からＬＣＤドライバ５０に信号が送られてＬＣＤ２８にパスワードの入力を促す画面を表示させる。
【００２４】
なお、このパスワードの入力を促す画面の表示は、ＬＣＤ２８に限らず上面表示パネル１０や背面表示パネル２２などに表示させても良い。
【００２５】
ユーザーは、ＬＣＤ２８に表示された画面を見ながらカメラ本体３の背面に備えられた十字ボタン２４の操作によってパスワードの入力を行う。すると、このパスワードは書込み部６２によって判定部６０に書き込まれる。判定部６０では書き込まれたパスワードとフラッシュメモリ５６内のパスワードとが一致するかどうかの比較、判定が行われる。パスワードが一致すると上記した様に撮影部６５への制御信号の送り出しの禁止が許容されて、不能にされた撮影機能が回復する。入力したパスワードが一致しないときには、再びパスワード入力用の画面が現れ、撮影動作は不能のままである。
【００２６】
スマートメディア３３にパスワードの書き込みを行うには、スマートメディア３３をスロット３０に挿入する。この時、判定部６０によってスマートメディア３３にパスワードが記録されていない、もしくは、フラッシュメモリ５６のパスワードと一致しないことが判定されるので、上記のようにＬＣＤ２８にパスワードの入力画面が表示される。十字ボタン２４でパスワードを入力すると、判定部６０への書き込みと共にスマートメディア３３への書き込み行うことができる。
【００２７】
パスワードが記録されたスマートメディア３３は、不能にされた撮影機能を回復させるためのセキュリティカードとして使用することになる。従って、パスワードが記録されたスマートメディア３３には画像データの記録及び再生はできなくなる。
【００２８】
また、予めカメラ本体３のスロット３０にパスワードを記録させたスマートメディア３３を挿入させて、デジタルカメラ２の電源をオンにした場合には、電源のオンと共に判定部６０によってスマートメディア３３のパスワードが比較、判定される。従って、不能にされている撮影機能が回復されるので、ＬＣＤ２８にパスワード入力用の画面は表示されず、電源投入後すぐに撮影操作を行うことができる。
【００２９】
本発明では、デジタルカメラ２の電源が切られたとき、または、パスワードの記録されたスマートメディア３３が撮影中に抜かれた時には、制御部６１によって制御信号の送り出しが禁止されて撮影機能は不能となる。
【００３０】
なお、本実施例においては撮影部６５への制御信号の送り出しを禁止することで撮影機能を不能としたが、例えば、撮影画像の画質を落としたり、白黒にしたり、メモリーカードへ画像を記録できなくするなどの一部の撮影機能を著しく低下させるか、もしくは禁止させるようにしても良い。
【００３１】
また、上記実施例ではスマートメディア３３にパスワードを記録させたが、これに限るものではなく、マイクロドライブやコンパクトフラッシュ（Ｒ）、メモリースティック、ＳＤカードなどのカメラに備えられている他の記録媒体でも良い。
【００３２】
【発明の効果】
以上のように、本発明によれば、デジタルカメラを使用する際には、パスワードを入力するか、もしくは、パスワードを記録させたスマートメディアをスロットに挿入しなければ撮影が行えないので、パスワードを知らない第三者は撮影操作を行うことができない。これにより、デジタルカメラの盗難や転売、いたずらなどを防ぐことができる。
【図面の簡単な説明】
【図１】デジタルカメラの正面斜視図である。
【図２】デジタルカメラの背面図である。
【図３】スロット部の斜視図である。
【図４】デジタルカメラの内部構成の概略を示すブロック図である。
【図５】セキュリティ部の概略を示すブロック図である。
【図６】撮影動作のロックを解除するフローチャートである。
【符号の説明】
２  デジタルカメラ
２８  ＬＣＤ
２９  スロットカバー
３３  スマートメディア
３４  マイクロドライブ
４１  ＣＰＵ
４１ａセキュリティ部
５６  フラッシュメモリ
６０  判定部
６１  制御部
６２  書込み部
【図１】
2004153430.tif 000003
【図２】
2004153430.tif 000004
【図３】
2004153430.tif 000005
【図４】
2004153430.tif 000006
【図５】
2004153430.tif 000007
【図６】
2004153430.tif 000008